(57)【特許請求の範囲】
【請求項１】
同一水平面上を通る一列に配列された複数の電子ビームを放出してターゲット上に集束する電子銃と、
この電子銃から放出した電子ビームをターゲット上の水平方向及び垂直方向に偏向する磁界を発生する偏向ヨークと、
前記電子銃を配置するネック部、前記ターゲットが形成されるパネル部及びネック部からパネル部にわたって内径が拡張されたファンネル部を含む外囲器と、
前記ファンネル部からネック部の内壁にかけて被着形成された内部導電膜と、
前記ネック部の内壁に被着形成された前記内部導電膜の端部に接触するとともに前記電子銃が配置されたネック部の一部を覆うように形成された、前記内部導電膜より高い電気抵抗を有する高抵抗膜と、を備え、
前記内部導電膜に接触している前記高抵抗膜の一端部側の前記内部導電膜端部近傍における管軸方向の単位長さあたりの膜抵抗値が、前記高抵抗膜の他端部近傍より小さいことを特徴とする陰極線管。
【請求項２】
前記高抵抗膜は、その一端部側における前記内部導電膜端部に接触している部分近傍で、管軸方向の単位長さあたりの膜抵抗値が最小となり、前記高抵抗膜の他端部近傍で、前記膜抵抗値が最大となることを特徴とする請求項１に記載の陰極線管。
【請求項３】
前記高抵抗膜は、高抵抗膜の一端部から前記内部導電膜端部に向かうにしたがって前記膜抵抗値が次第に小さくなるとともに、前記内部導電膜端部から高抵抗膜の他端部に向かうにしたがって前記膜抵抗値が次第に大きくなることを特徴とする請求項２に記載の陰極線管。
【請求項４】
同一水平面上を通る一列に配列された複数の電子ビームを放出してターゲット上に集束する電子銃と、
この電子銃から放出した電子ビームをターゲット上の水平方向及び垂直方向に偏向する磁界を発生する偏向ヨークと、
前記電子銃を配置するネック部、前記ターゲットが形成されるパネル部及びネック部からパネル部にわたって内径が拡張されたファンネル部を含む外囲器と、
前記ファンネル部からネック部の内壁にかけて被着形成された内部導電膜と、
前記ネック部の内壁に被着形成された前記内部導電膜の端部に接触するとともに前記電子銃が配置されたネック部の一部を覆うように形成された、前記内部導電膜より高い電気抵抗を有する高抵抗膜と、を備え、
前記内部導電膜に接触している前記高抵抗膜の一端部側の前記内部導電膜端部近傍における膜厚が、前記高抵抗膜の他端部近傍より厚いことを特徴とする陰極線管。
【請求項５】
前記高抵抗膜は、その一端部側における前記内部導電膜端部に接触している部分近傍で、膜厚が最も厚くなるように形成されているとともに、前記高抵抗膜の他端部近傍で、前記膜厚が最も薄くなるように形成されていることを特徴とする請求項４に記載の陰極線管。
【請求項６】
前記高抵抗膜は、高抵抗膜の一端部から前記内部導電膜端部に向かうにしたがって前記膜厚が次第に厚くなるとともに、前記内部導電膜端部から高抵抗膜の他端部に向かうにしたがって前記膜厚が次第に薄くなることを特徴とする請求項５に記載の陰極線管。
【発明の詳細な説明】
【０００１】
【発明の属する技術分野】
この発明は、カラー受像管などの陰極線管に係り、特に陰極線管のネック内壁に塗布される高抵抗導電膜の塗布状態に関する。
【０００２】
【従来の技術】
一般に、カラー受像管は、パネルと、ファンネルと、ネックとが一体に接合された外囲器を有している。このパネルの内面には、青、緑、赤に発光するストライプ状あるいはドット状の３色蛍光体層からなる蛍光体スクリーン（ターゲット）が形成され、この蛍光体スクリーンに対向して、その内側に多数のアパーチャが形成されたシャドウマスクが装着されている。
【０００３】
一方、外囲器のネック内には、同一水平面上を通る一列配置の中央及び２本の両側の３電子ビームを放出する電子銃が配設されている。この電子銃は、３本の電子ビームを蛍光面上に集束すると同時にコンバーゼンスしている。そして、この電子銃から放出される３電子ビームを、ファンネルの外側に装着された偏向ヨークの発生する水平偏向磁界及び垂直偏向磁界により偏向し、シャドウマスクを介して蛍光体スクリーンを水平走査、及び垂直走査することにより、カラー画像が表示される。
【０００４】
図３に示すように、このようなカラー受像管において、ファンネルからネック３にかけての内面には、ファンネルに設けられた陽極端子に導通する内部導電膜７が被着形成されている。電子銃８のコンバーゼンス電極９は、バルブスペーサ１０を介して内部導電膜７に接触導通され、陽極端子から陽極電圧が供給される。
【０００５】
しかしながら、ネック３の内壁電位の変化の影響で、３電子ビームのコンバーゼンス状態が経時変化し、結果的に色ずれが生じるといった問題がある。この原因は、ネック内壁の帯電電位が電子銃の主電子レンズに浸透し、主電子レンズを形成する電界に影響を与え、両サイドビームの軌道を変えることによるものである。すなわち、ネックは、絶縁体、例えばガラスによって形成されているため、帯電すなわち電荷が蓄積されやすく、放電を生じやすい。このため、陽極電圧を印加した直後のネック内壁は、内部導電膜７や、電子銃８のコンバーゼンス電極９などの影響を受けて、ある一定の電位分布状態に到達するが、ネック内に発生した浮遊電子が帯電したネック内壁に衝突し、ネックから２次電子を放出させてネック電位を徐々に上昇させる。その結果、このネック電位が電子銃の主電子レンズを形成する電界に悪影響を及ぼし、両サイドビームの軌道が変化する。このように、電子銃では、コンバーゼンス状態が経時変化するいわゆるコンバーゼンスドリフトが起こり、色ずれが起こる。
【０００６】
このような問題を解決するために、特開昭６４−１２４４９号公報、及び特開平５−２０５５６０号公報によれば、図３に示すように、ネックの内面に電子放出係数が１より小さい高抵抗導電膜１７を内部導電膜７に接触するように被着形成することによって、２次電子による帯電を防止しているとともに、コンバーゼンスドリフトによる色ずれを抑制している。
【０００７】
【発明が解決しようとする課題】
しかしながら、特開昭６４−１２４４９号公報、及び特開平５−２０５５６０号公報に示されているように、ネック内面に高抵抗導電膜を内部導電膜に接触させて被着形成する場合、図３に示したように、高抵抗導電膜が均一の膜厚で形成されていると、高抵抗導電膜の管軸方向の単位長さあたりの膜抵抗値が一定になる。しかも、このネック電位は、高抵抗導電膜が設けられていない場合と比較して相対的に高く、電子銃に備えられた任意の電極などの金属部分とネック内壁との間でフィールドエミッションを発生させやすいという問題がある。
【０００８】
そこで、この発明は、上述した従来技術の問題点に鑑みて、コンバーゼンスドリフトを抑制する高抵抗導電膜をネックの内壁に設け、且つ電子銃の電極などの金属部分とネック内壁との間のフィールドエミッションを抑制することができる耐電圧特性が良好な陰極線管を提供することを目的とする。
【０００９】
【課題を解決するための手段】
上記課題を解決するために、この発明の陰極線管は、
同一水平面上を通る一列に配列された複数の電子ビームを放出してターゲット上に集束する電子銃と、
この電子銃から放出した電子ビームをターゲット上の水平方向及び垂直方向に偏向する磁界を発生する偏向ヨークと、
前記電子銃を配置するネック部、前記ターゲットが形成されるパネル部及びネック部からパネル部にわたって内径が拡張されたファンネル部を含む外囲器と、前記ファンネル部からネック部の内壁にかけて被着形成された内部導電膜と、前記ネック部の内壁に被着形成された前記内部導電膜の端部に接触するとともに前記電子銃が配置されたネック部の一部を覆うように形成された、前記内部導電膜より高い電気抵抗を有する高抵抗膜と、を備え、
前記内部導電膜に接触している前記高抵抗膜の一端部側の前記内部導電膜端部近傍における管軸方向の単位長さあたりの膜抵抗値が、前記高抵抗膜の他端部近傍より小さいことを特徴としている。
【００１０】
この発明の陰極線管によれば、ネック部の内壁において、内部導電膜の端部に接触する位置から電子銃が配置された位置の一部にかけて、内部導電膜より高い電気抵抗を有する高抵抗膜が形成されているため、ネック部からの２次電子の放出を抑制し、コンバーゼンスドリフトによる色ずれを防止することが可能となる。
【００１１】
また、高抵抗膜の他端部近傍において、管軸方向の単位長さあたりの膜抵抗値が、高抵抗膜の一端部側の内部導電膜端部近傍における膜抵抗値と比較して相対的に高いため、ネック部の内壁の電位を相対的に低く抑えることが可能となり、電子銃における高電圧が印加されている金属部分との間のフィールドエミッションを抑制することが可能となる。
【００１２】
【発明の実施の形態】
以下、図面を参照してこの発明の陰極線管、例えばカラー陰極線管の実施の形態について説明する。
図２には、この発明の陰極線管の一例としてのカラー陰極線管が示されている。このカラー陰極線管は、図２に示すように、パネル１０１、ファンネル１０２、ネック１０５が一体に接合された外囲器を有している。このパネル１０１の内面には、赤（Ｒ）、緑（Ｇ）、青（Ｂ）に発光するストライプ状あるいはドット状の３色蛍光体層及びメタルバック層からなる蛍光体スクリーン１０３（ターゲット）が形成されている。この蛍光体スクリーン１０３に対向する位置には、所定の間隔をおいて、その内側に多数のアパーチャが形成されたシャドウマスク１０４が装着されている。
【００１３】
一方、ネック１０５は、円形の断面形状を有し、その内部には、同一水平面上を通る一列配置の３電子ビーム１０６Ｂ、１０６Ｇ、１０６Ｒを放出する電子銃１０７、いわゆるインライン型電子銃が配設されている。この電子銃１０７では、電子ビーム１０６Ｇをセンタービームとして中心とし、電子ビーム１０６Ｂ、１０６Ｒがその両サイドビームとして一列配置されている。この電子銃１０７は、３本の電子ビームを蛍光面上に集束すると同時にコンバーゼンスしている。
【００１４】
また、ファンネル１０２の外側には、ピンクッション型の水平偏向磁界、及びバレル型の垂直偏向磁界を発生する偏向ヨーク１０８が装着されている。さらに、ファンネル１０２の外側には、外部導電膜１１３が形成されている。ファンネル１０２からネック１０５にわたる内面には、陽極電圧を供給する陽極端子に導通する内部導電膜１１７が被着形成されている。
【００１５】
このような構造のカラー陰極線管は、電子銃１０７から放出された３電子ビーム１０６Ｂ，１０６Ｇ，１０６Ｒを偏向ヨーク１０８が発生する水平および垂直偏向磁界により偏向し、シャドウマスク１０４を介して蛍光体スクリーン１０３を水平、垂直走査することにより、カラー画像が表示される。
【００１６】
図１は、図２に示したカラー陰極線管のネック部を拡大した図である。
図１に示すように、カラー陰極線管のネック部１０５には、インライン型電子銃１０７が配設されている。この電子銃１０７は、インライン方向、すなわち水平方向に一列配置された３電子ビーム１０６Ｂ，１０６Ｇ，１０６Ｒを放出する３個のカソードＫ、及びこれらのカソードＫをそれぞれ個別に加熱する３個のヒーターを備えている。
【００１７】
また、この電子銃１０７は、カソードＫから順次蛍光体スクリーン（ターゲット）方向に所定の間隔に離間されて配置された第１乃至第６グリッドＧ１〜Ｇ６、及びその第６グリッドＧ６の蛍光体スクリーン側に位置する端部に取り付けられたコンバーゼンス電極１１９を有している。第１および第２グリッドＧ１、Ｇ２は、それぞれ一体構造の板状電極によって形成され、第３乃至第６Ｇ３〜Ｇ６は、一体構造の筒状電極によって形成されている。
【００１８】
これらのヒーター、カソードＫおよび第１乃至第６グリッドＧ１〜Ｇ６は、インライン方向に直交する垂直方向に対向して配置された一対の絶縁支持体、すなわちビードガラス１１２によって一体に支持されている。このビードガラス１１２は、図１に示すように、管軸方向に延出されている。
【００１９】
第１および第２グリッドＧ１、Ｇ２には、比較的小さな３個のほぼ円形の電子ビーム通過孔がインライン方向に沿って一列に形成されている。
第３グリッドＧ３の第２グリッドＧ２側に位置する電極の第２グリッドＧ２との対向面には、第２グリッドＧ２を通過した３電子ビームの通過を許容するために、第２グリッドＧ２の電子ビーム通過孔よりも大きい３個のほぼ円形の電子ビーム通過孔がインライン方向に沿って一列に形成されている。また、この第３グリッドＧ３の第４グリッドＧ４側の電子ビーム通過孔は、第２グリッドＧ２との対向面の電子ビーム通過孔よりも更に大きい３個のほぼ円形の電子ビーム通過孔がインライン方向に沿って一列に形成されている。
【００２０】
第４グリッドＧ４の電極の第３グリッドＧ３および第５グリッドＧ５との対向面には、第３グリッドＧ３の第４グリッドＧ４側の対向面に形成された電子ビーム通過孔と同じ大きさの３個のほぼ円形の電子ビーム通過孔がそれぞれインライン方向に沿って一列に形成されている。
【００２１】
第５グリッドＧ５の第４グリッドＧ４との対向面には、第４グリッドＧ４の電子ビーム通過孔とほぼ同じ大きさの３個のほぼ円形の電子ビーム通過孔がインライン方向に沿って一列に形成されている。
【００２２】
また、この第５グリッドＧ５の第６グリッドＧ６との対向面には、第５グリッドＧ５の第４グリッドＧ４側との対向面の電子ビーム通過孔とほぼ同じ大きさの３個のほぼ円形の電子ビーム通過孔がインライン方向に一列に形成されている。
【００２３】
第６グリッドＧ６の第５グリッドＧ５側およびコンバーゼンス電極１１９側に対向する面には、第５グリッドＧ５の第６グリッドＧ６との対向面の電子ビーム通過孔とほぼ同じ大きさの３個のほぼ円形の電子ビーム通過孔がインライン方向に一列に形成されている。
【００２４】
コンバーゼンス電極１１９の底部、すなわち第６グリッドＧ６に対向する面には、第６グリッドＧ６の電子ビーム通過孔とほぼ同じ大きさの３個のほぼ円形の電子ビーム通過孔がインライン方向に沿って一列に形成されている。また、このコンバーゼンス電極１１９は、バルブスペーサー１１０を介して陽極電圧Ｅｂが供給される内部導電膜１１７に接続されている。
【００２５】
次に、図１を参照して、電子銃に含まれる各グリッドの接続関係について説明する。
この電子銃のカソードＫは、図示しない直流電源及び映像信号源に電気的に接続され、カソードＫに１００〜２００Ｖの直流電圧に映像信号が重畳された電圧が印加される。第１グリッドＧ１は、接地されている。
【００２６】
第２グリッドＧ２とＧ４グリッドＧ４とは、管内で互いに接続されているとともに、直流電源に電気的に接続されている。そして、これら第２グリッドＧ２及び第４グリッドＧ４には、５００〜１０００Ｖの電圧が印加される。
【００２７】
第３グリッドＧ３と第５グリッドＧ５とは、管内で互いに接続されているとともに、直流電源に電気的に接続されている。そして、これら第３グリッドＧ３及び第５グリッドＧ５には、第６グリッドＧ６に印加される陽極電圧Ｅｂの約２０〜３５％の直流電圧Ｖｆが印加される。
【００２８】
第６グリッドＧ６には、２５〜３５ｋＶの陽極電圧Ｅｂがバルブスペーサ１１０及び内部導電膜１１７を通して印加される。
このようなレベルの電圧を印加することにより、この電子銃においては、カソードＫおよび第１乃至第３グリッドＧ１〜Ｇ３によってカソードＫからの電子放出を制御し、かつ放出された電子を加速・集束して電子ビームを形成する電子ビーム発生部ＧＥが形成される。また、第３グリッドＧ３、第４グリッドＧ４、第５グリッドＧ５、第６グリッドＧ６によって、電子ビーム発生部ＧＥで形成された電子ビームを蛍光体スクリーン上に加速・集束する主電子レンズ部ＭＬが形成される。
【００２９】
ところで、このカラ−陰極線管のファンネル部１０２からネック部１０５にわたる内面には、図１に示すように、電子放出係数が１より小さい高抵抗導電膜１１４が内部導電膜１１７に接触するように設けられている。この高抵抗導電膜１１４は、ＡＴＯすなわち酸化錫にアンチモンをドープした酸化物導電体と、バインダとなるエチルシリケートなどのシランカップリング剤とをエチルアルコールなどの有機溶媒に分散した溶液をディスペンス方式で塗布した後、乾燥することによって形成される。この方式で形成される高抵抗導電膜１１４は、その膜厚が極めて薄く、１μｍ未満である。
【００３０】
この高抵抗導電膜１１４を設けることにより、電子ビームのコンバーゼンス状態が経時変換するいわゆるコンバーゼンスドリフトを抑制している。すなわち、陽極電圧Ｅｂを印加した直後のネック内壁の電位が内部導電膜１７や電子銃１０７のコンバーゼンス電極１１９などの影響を受けてある一定の電位分布状態に到達した後、ネック部１０５内に発生した浮遊電子が帯電したネック内壁に衝突してネック部１０５から２次電子が放出されることを抑制している。
【００３１】
ネック部１０５から２次電子が放出されるとネック電位が徐々に上昇し、ネック内壁の帯電電位が電子銃１０７の主電子レンズ部ＭＬに浸透し、主電子レンズ部ＭＬを形成する電界に影響を与え、両サイドビームの軌道を変化させてしまうことがある。これにより、３電子ビームのコンバーゼンス状態が経時変化し、色ずれを発生する原因となる。
【００３２】
しかしながら、図１に示したように、ネック内面に高抵抗導電膜１１４が設けられることにより、２次電子による帯電を防止し、コンバーゼンスドリフトによる色ずれの発生を防止することができる。
【００３３】
また、この高抵抗導電膜１１４は、その一端側において、内部導電膜１１７の端部に接触するとともに、その他端側において、電子銃１０７が配置されたネック部１０５の一部の内面を覆うように設けられている。高抵抗導電膜１１４の一端側における内部導電膜１１７との接触部近傍１１５では、管軸方向の単位長さあたりの膜抵抗値が、高抵抗導電膜１１４の他端部１１６近傍より小さくなるように設定されている。
【００３４】
すなわち、この高抵抗導電膜１１４の膜抵抗値は、高抵抗導電膜１１４の一端部から内部導電膜１１７端部との接触部１１５に向かうにしたがって次第に小さくなり、内部導電膜１１７端部との接触部１１５において、最小となる。そして、高抵抗導電膜１１４の膜抵抗値は、内部導電膜１１７端部との接触部１１５から高抵抗導電膜１１４の他端部１１６に向かうにしたがって次第に大きくなり、他端部１１６において、最大となる。
【００３５】
このような膜抵抗値の分布を達成するために、例えば、この実施の形態に示すように、高抵抗導電膜１１４の膜厚の分布を変化させる。
図１に示すように、高抵抗導電膜１１４の一端側における内部導電膜１１７との接触部近傍１１５では、高抵抗導電膜１１４の膜厚が、他端部１１６近傍より厚く形成されている。
【００３６】
すなわち、この高抵抗導電膜１１４の膜厚は、高抵抗導電膜１１４の一端部から内部導電膜１１７端部との接触部１１５に向かうにしたがって次第に厚くなり、内部導電膜端部との接触部１１５において、最大の膜厚となる。そして、高抵抗導電膜１１４の膜厚は、この接触部１１５から高抵抗導電膜１１４の他端部１１６に向かうにしたがって次第に薄くなり、他端部１１６において、最小の膜厚となる。
【００３７】
このような膜抵抗値の分布を形成することにより、電子銃１０７に備えられる複数のグリッドのうち、最高電圧が印加されているグリッドなどの金属部分に近接する部分で、高抵抗導電膜が設けられることによってコンバーゼンスドリフトを抑制するとともに、高抵抗導電膜のネック内電位を相対的に低く抑えることができ、電極などからネック内壁へのフィールドエミッションを抑制することができる。
【００３８】
次に、上述したようにして膜抵抗値の分布が形成された高抵抗導電膜を設けたカラー陰極線管のネック内電位を測定した。また、ここで測定したネック内電位と、高抵抗導電膜が設けられていない陰極線管のネック内電位、及び膜抵抗値の分布が一定の陰極線管のネック内電位とを比較した。
【００３９】
図４の（ａ）は、ネック内電位の測定結果を示す図であり、図４の（ｂ）は、図１に示した構造のカラー陰極線管における内部導電膜１１７端部近傍の高抵抗導電膜１１４の塗布状態を概略的に示す断面図であり、図４の（ｃ）は、高抵抗導電膜１１８の膜抵抗値が一定となるカラー陰極線管における内部導電膜１１７端部近傍の高抵抗導電膜１１８の塗布状態を概略的に示す断面図であり、図４の（ｄ）は、高抵抗導電膜が設けられていないカラー陰極線管における内部導電膜１１７端部近傍の断面図である。
【００４０】
図４の（ａ）には、図４の（ｂ）に示したような膜抵抗値を有する高抵抗導電膜１１４を設けた場合のその管軸方向に沿ったネック内電位の分布曲線１８と、図４の（ｃ）に示したような膜抵抗値を有する高抵抗導電膜１１８を設けた場合のその管軸方向に沿ったネック内電位の分布曲線１９と、図４の（ｄ）に示したような高抵抗導電膜が設けられていない場合のその管軸方向に沿ったネック内電位の分布曲線２０と、それぞれが示されている。
【００４１】
図４の（ｂ）に示したような膜抵抗値を有する高抵抗導電膜１１４の他端部１１６近傍におけるネック内電位２１は、図４の（ｃ）に示したような膜抵抗値を有する高抵抗導電膜１１８を設けた場合のネック内電位２２より相対的に小さく、また、図４の（ｄ）に示したような高抵抗導電膜が設けられていない場合のネック内電位２３に近似できるほど小さい。
【００４２】
このため、電子銃に備えられた複数の電極のうち、最高電圧が印加されている電極などの金属部分と、高抵抗導電膜の端部付近との電位差は、図４の（ｂ）に示したような膜抵抗値分布を有するように形成された陰極線管の方が、図４の（ｃ）に示したような膜抵抗値分布を有するように形成された陰極線管より小さい。すなわち、図４の（ｂ）に示したような陰極線管では、電子銃における最高電圧が印加されている電極などの部分とこの部分に近接する高抵抗導電膜との間の電位差は、高抵抗導電膜が設けられていない場合、すなわち図４の（ｄ）に示したような陰極線管の場合と実質的に近似することができるほど小さい。
【００４３】
したがって、コンバーゼンスドリフトの抑制する高抵抗導電膜を設けつつ、且つ電子銃の電極などの金属部分とネック内壁との間のフィールドエミッションを抑制することが可能となる。これにより、色ずれの発生を防止できる。
【００４４】
次に、図１に示したような構造の陰極線管における耐電圧特性の優位性について実験データを基にして説明する。
図５は、高抵抗導電膜１１４の内部導電膜１１７端部との接触部１１５における膜抵抗値よりも高抵抗導電膜１１４の他端部１１６の膜抵抗値が高くなるような膜抵抗値分布を有するカラー陰極線管の耐電圧評価の一つであるフィールドエミッションを測定するための測定回路図である。
【００４５】
図５に示したような回路構成において、電流計Ａに流れる電流が０．０１μＡとなる時の陽極定圧電源の電圧値を測定し、耐電圧特性として評価した。なお、この測定で使用した陰極線管のネック部の外径は、直径が２２．５ｍｍである。図６に電圧値の測定結果を示す。図６に示した電圧値は、１０回の測定で得られた測定値の平均値である。
【００４６】
図６に示したように、本発明の陰極線管における高抵抗導電膜の塗布状態すなわち図４の（ｂ）に示したような塗布状態では、陽極定圧電源の電圧値は、３１ＫＶであるのに対して、従来の陰極線管における高抵抗導電膜の塗布状態すなわち図４の（ｃ）に示したような塗布状態では、２６ＫＶであり、約５ＫＶ程度高いことがわかる。このように、本発明の陰極線管は、図４の（ｂ）に示したような構造としたことにより、耐電圧特性として従来の陰極線管より優位であることがわかる。
【００４７】
以上説明したように、この発明の陰極線管によれば、同一水平面上を通る一列に配列された複数の電子ビームを放出してターゲット１０３上に集束する電子銃１０７と、この電子銃１０７から放出した電子ビームをターゲット１０３上の水平方向及び垂直方向に偏向する磁界を発生する偏向ヨーク１０８と、電子銃１０７を配置するネック部１０５、ターゲット１０３が形成されるパネル部１０１及びネック部１０５からパネル部１０１にわたって内径が拡張されたファンネル部１０２を含む外囲器と、ファンネル部１０２からネック部１０５の内壁にかけて被着形成された内部導電膜１１７と、 ネック部１０５の内壁に被着形成された内部導電膜１１７の端部に接触するとともに電子銃１０７が配置されたネック部１０５の一部を覆うように形成された、内部導電膜１１７より高い電気抵抗を有する高抵抗導電膜１１４と、を備え、内部導電膜１１７に接触している高抵抗導電膜１１４の一端部側の内部導電膜１１７端部近傍における管軸方向の単位長さあたりの膜抵抗値が、高抵抗導電膜１１４の他端部１１６近傍より小さいことを特徴としている。
【００４８】
この発明の陰極線管によれば、ネック部１０５の内壁において、内部導電膜１１７の端部に接触する位置から電子銃１０７が配置された位置の一部にかけて、内部導電膜１１７より高い電気抵抗を有する高抵抗導電膜１１４が形成されているため、ネック部１０５からの２次電子の放出を抑制し、コンバーゼンスドリフトによる色ずれを防止することが可能となる。
【００４９】
また、高抵抗導電膜１１４の他端部１１６近傍において、管軸方向の単位長さあたりの膜抵抗値が、高抵抗導電膜１１４の一端部側の内部導電膜１１７端部近傍における膜抵抗値と比較して相対的に高いため、ネック部１０５の内壁の電位を相対的に低く抑えることが可能となり、電子銃１０７における高電圧が印加されている金属部分との間のフィールドエミッションを抑制することが可能となる。
【００５０】
【発明の効果】
以上説明したように、この発明によれば、コンバーゼンスドリフトを抑制する高抵抗導電膜をネックの内壁に設け、且つ電子銃の電極などの金属部分とネック内壁との間のフィールドエミッションを抑制することができる耐電圧特性が良好な陰極線管を提供することができる。
【図面の簡単な説明】
【図１】図１は、この発明に係る陰極線管のネック部の構造を概略的に示す平面図である。
【図２】図２は、図１に示したネック部を備えるこの発明の陰極線管の一例としてのカラー陰極線管の構造を概略的に示す断面図である。
【図３】図３は、従来の陰極線管のネック部の構造を概略的に示す平面図である。
【図４】図４の（ａ）は、ネック内電位の測定結果を示す図であり、図４の（ｂ）は、図１に示した本発明のカラー陰極線管における内部導電膜端部近傍の高抵抗導電膜の塗布状態を概略的に示す断面図であり、図４の（ｃ）は、従来のカラー陰極線管における内部導電膜端部近傍の高抵抗導電膜の塗布状態を概略的に示す断面図であり、図４の（ｄ）は、高抵抗導電膜が設けられていないカラー陰極線管における内部導電膜端部近傍の断面図である。
【図５】図５は、高抵抗導電膜の内部導電膜端部との接触部における膜抵抗値が高抵抗導電膜の他端部の膜抵抗値より高くなるような膜抵抗値分布を有するカラー陰極線管において、フィールドエミッションを測定するための測定回路図である。
【図６】図６は、図５に示した回路構成において、電流計Ａに流れる電流が０．０１μＡとなる時に測定される陽極定圧電源の電圧値を示す図である。
【符号の説明】
１０１…パネル
１０２…ファンネル
１０３…蛍光体スクリーン
１０４…シャドウマスク
１０５…ネック
１０６（Ｂ、Ｇ、Ｒ）…電子ビーム
１０７…電子銃
１０８…偏向装置
１１０…バルブスペーサ
１１３…外部導電膜
１１４…高抵抗導電膜
１１７…内部導電膜
【図１】
0003660488.tif 000002
【図２】
0003660488.tif 000003
【図３】
0003660488.tif 000004
【図４】
0003660488.tif 000005
【図５】
0003660488.tif 000006
【図６】
0003660488.tif 000007